(57)【要約】【課題】連続的力によりカバーが変形及び損傷するのを防止するブレーキ突出部をカードコネクタの一側に設けたカードコネクタの提供。【解決手段】カードコネクタは、複数の留め部を有する上板１３であって、上板１３の２辺の各々が軸受孔を有する上板１３と、上板１３に接続された支持枠１４と、上板１３の一側に設けられたばね孔と、円弧状周縁１７を有するカバー１２であって、カバー１２の２端部が上板１３の軸受孔に回転可能に結合されるカバー１２と、上板１３のばね孔に接続されカバー１２に弾性を付与するばねを具備する。円弧状周縁１７に対応する支持枠１４の一側にはブレーキ突出部２０が延長し、ブレーキ突出部２０に対応するカバー１２は、カバー１２が回転するよう付勢される際に効果的にブレーキをかけるようブレーキ突出部２０と協働する受容切欠き２２を有する。【選択図】図５
2008021413.tif 000002
【特許請求の範囲】
【請求項１】
複数の留め部を有する上板であって、該上板の２辺の各々が軸受孔を有する前記上板と、
該上板に接続された支持枠と、
前記上板の一側に設けられたばね孔と、
円弧状周縁を有するカバーであって、該カバーの２端部が前記上板の前記軸受孔に回転可能に結合される前記カバーと、
前記上板の前記ばね孔に接続され前記カバーに弾性を付与するばねとを具備するカードコネクタであって、
前記円弧状周縁に対応する前記支持枠の一側にはブレーキ突出部が延長し、
該ブレーキ突出部に対応する前記カバーは、該カバーが回転するよう付勢される際に効果的にブレーキをかけるよう前記ブレーキ突出部と協働する受容切欠きを有することを特徴とするカードコネクタ。
【請求項２】
前記支持枠付近の前記カバーの前記受容切欠きの一側には、垂直のカード挿入方向に向かって上方へフランジが延長し、
該フランジの上面は水平であることを特徴とする請求項１記載のカードコネクタ。
【請求項３】
本体と、
該本体の一側に設けられ、押圧突部及びばねを有する押圧デバイスと、
前記本体の肩部に設けられた保持板と、
前記本体の他側に接続され、支持枠及びばね孔を有する上板であって、該上板の２側面の各々に軸受孔を有する上板と、
円弧状周縁を有するカバーであって、該カバーの２端部が前記上板の前記軸受孔に回転可能に結合されるカバーと、
上板のばね孔に接続されるとともに前記カバーに弾性を付与するばねとを具備するカードコネクタであって、
前記円弧状周縁に対応する前記支持枠の一側にはブレーキ突出部が延長し、
該ブレーキ突出部に対応する前記カバーは、該カバーが回転するよう付勢される際に効果的にブレーキをかけるよう前記ブレーキ突出部と協働する受容切欠きを有することを特徴とするカードコネクタ。
【請求項４】
前記支持枠付近の前記カバーの前記受容切欠きの一側には、垂直のカード挿入方向に向かって上方へフランジが延長し、
該フランジの上面は水平であることを特徴とする請求項３記載のカードコネクタ。
【請求項５】
前記上板は、前記本体を留める複数の留め部を有することを特徴とする請求項３記載のカードコネクタ。
【請求項６】
コネクタ本体及びカバーを具備するカードコネクタにおいて、
前記コネクタ本体はブレーキ突出部を有し、
前記カバーは、前記ブレーキ突出部に対応する受容切欠きを有することを特徴とするカードコネクタ。
【請求項７】
前記コネクタ本体付近の前記カバーの前記受容切欠きの一側には、垂直のカード挿入方向に向かって上方へフランジが延長し、
該フランジの上面は水平であることを特徴とする請求項６記載のカードコネクタ。
【請求項８】
前記コネクタ本体は複合エクスプレスカードスロット構造を有するコネクタであることを特徴とする請求項６又は７記載のカードコネクタ。
【発明の詳細な説明】
【技術分野】
【０００１】
本発明はカードコネクタに関し、より詳細には、カバーの変形を防止するカードコネクタに関する。
【背景技術】
【０００２】
ＰＣＭＣＩＡ（パーソナルコンピュータメモリカード国際協会）仕様は、コンピュータ及びコンピュータ周辺機器間を接続するメモリカードの標準仕様である。ＰＣＭＣＩＡカード（単にＰＣカードとも称される）はＰＣＭＣＩＡ仕様に従ったＩＣカードであり、ＰＣＭＣＩＡスロットはこの仕様に従ったスロットである。ＰＣカードは、コンピュータ及びコンピュータ周辺機器を接続するために広く使用されている。特にノートブックコンピュータの場合、その小寸法故に外部周辺機器を要するので、ＰＣカードは最適のインタフェースになった。現在、ＰＣカードは、重い周辺機器を運ぶことにより生ずるユーザのトラブルを無くすために、主に、ノートブック用にデータ送信又はローカルネットワークカードとして作用する。
【０００３】
より上等の輸送インタフェースを提供するために、ＰＣＭＣＩＡは、より軽量で早く薄く容易に使用が簡単で、従来のＰＣカードより広範囲のＩ／Ｏモードに適用されるエクスプレスカード（Express card）を開発した。このエクスプレスカードには２つの仕様があり、一方は幅34mmのExpress card/34であり（小カード）、他方は幅54mmのExpress card/54である（大カード）。
【特許文献１】特開２００６−７９８４３号公報
【発明の開示】
【発明が解決しようとする課題】
【０００４】
一般に、カードコネクタに挿入される際、エクスプレスカードはカードコネクタのスロット内に配置され、スロットの上面に対して内方へ押圧される。挿入の際、ユーザはエクスプレスカードをカードコネクタの開口に注意深く狙う必要があるので、素早い位置決めをすることができない。図７、図８及び図９は、公知のカードコネクタの平面、公知の上板の平面及び図８のＡ−Ａ断面をそれぞれ示す。（図７及び図８に矢印「ａ」で示される方向に）カードを挿入する際、ユーザがカードコネクタのカバー２正しい位置（カバー２の中心）にカードを精確に狙えない場合、カバー２は連続的に力を受け、カード挿入方向へ曲がるので、カバー２は長期間の衝撃、特にカバー２及びカードコネクタ間の結合部の割れにより容易に損傷する。このため、公知のカードコネクタのカバー構造は依然として欠点を有しており、改良が必要である。
【０００５】
従って、本発明は、連続的力によりカバーが変形及び損傷するのを防止するブレーキ突出部をカードコネクタの一側に設けたカードコネクタを提供することを目的とする。
【課題を解決するための手段】
【０００６】
本発明によるカードコネクタは、複数の留め部を有する上板であって、上板の２辺の各々が軸受孔を有する上板と、上板に接続された支持枠と、上板の一側に設けられたばね孔と、円弧状周縁を有するカバーであって、カバーの２端部が上板の軸受孔に回転可能に結合されるカバーと、上板のばね孔に接続されカバーに弾性を付与するばねを具備し、円弧状周縁に対応する支持枠の一側にはブレーキ突出部が延長し、ブレーキ突出部に対応するカバーは、カバーが回転するよう付勢される際に効果的にブレーキをかけるようブレーキ突出部と協働する受容切欠きを有する。
【０００７】
好ましくは、支持枠付近のカバーにおける受容切欠きの一側は、垂直のカード挿入方向に向かって上方へフランジを延長する。フランジの上面は水平であり、カバーが回転するよう付勢される際に、ブレーキ突出部とさらに協働する。
【発明を実施するための最良の形態】
【０００８】
以下、本発明の好適な実施形態を参照して本発明を詳細に説明するが、説明に先立ち、当業者であれば本明細書に記載された本発明を容易に変更し、本発明と同様の性能が得られることを理解されたい。従って、以下の説明は当業者に対する一般的な開示であって、本発明を限定するものではないことを理解されたい。
【０００９】
図１、図２、図３及び図４はそれぞれ、本発明のカードコネクタを示す平面図、上板及びカバーの分解斜視図、上板の平面図及び図３のＢ−Ｂ断面図である。本発明のカードコネクタは、複合スロット構造を有し上部に肩部３７を形成する本体３１と、カードコネクタを挿入又は排出するために肩部３７上の一側に設けられ押圧突部３３及びばね３４を有する押圧デバイス３２と、ほぼ三角形であってカード挿入を案内すると共にカードコネクタ内にカードを配置するよう本体３１の肩部３７に設けられた保持板３６と、支持枠１４、ばね孔２３及び複数の留め部１５を有する上板１３であって、２側面の各々に軸受孔１６を有する上板１３と、カバー１２であって、その一側が円弧状周縁１７を有し、２端部１８が上板１３の軸受孔１６に回転可能に結合されるカバー１２と、上板１３のばね孔２３及びカバー１２に接続されたばね１９とを具備する。
【００１０】
上板１３は、複数の留め部１５により本体３１に接続される。ばね１９は、カバー１２に弾性回転の機能を持たせるようカバー１２に弾性を付与する。支持枠１４は、中心のブレーキ突出部２０を垂直方向に延長すると共に、カバー１２が回転するよう付勢される際に効果的なブレーキを実現するようブレーキ突出部２０と協働するブレーキ突出部２０に対応する受容切欠き２２を与える。さらに、支持枠１４付近のカバー１２の受容切欠き２２の一側には、垂直のカード挿入方向に向かって上方へフランジ２１が延長する。フランジ２１の上面は水平であり、カバー１２が回転するよう付勢される際に、ブレーキ突出部２０とさらに協働する。
【００１１】
矢印「ｂ」に示された方向に沿ってエクスプレスカード（図示せず）がカバー１２に接触する際、エクスプレスカードカバー１２の上側の方へ移動すると、ブレーキ突起部２０がフランジ２１に接触し、エクスプレスカードの前方への移動を阻止する。このため、ブレーキ突出部２０は、連続的な過度の力によりカバー１２が変形、損傷するのをを防止する保護を提供すると共に、ユーザに本発明のカードコネクタへのエクスプレスカードの挿入方向の調整が必要であることを気付かせる。
【００１２】
図５及び図６は、それぞれ図４の円内の拡大図、及び図５のカバー１２の回転後を示す図である。カバー１２が時計回りに90°回転した後、受容切欠き２２はブレーキ突出部２０を受容し、エクスプレスカードがカバーを通ってカードコネクタに接続することができる。
【００１３】
本発明の好適な実施形態を参照して本発明を詳細に説明したが、当業者であれば、特許請求の範囲の真髄及び範囲内で全ての変形、変更ができることを容易に理解できるであろう。従って、特許請求の範囲の真髄及び範囲は、本明細書に含まれる好適実施形態の説明に限定されるべきでない。
【図面の簡単な説明】
【００１４】
【図１】本発明のカードコネクタを示す平面図である。
【図２】上板及びカバーを示す分解斜視図である。
【図３】上板を示す平面図である。
【図４】図３のＢ−Ｂ断面図である。
【図５】図４の円内の拡大図である。
【図６】図５のカバーが回転した後の図である。
【図７】公知のカードコネクタを示す平面図である。
【図８】公知の上板を示す平面図である。
【図９】図８のＡ−Ａ断面図である。
【符号の説明】
【００１５】
１２  カバー
１３  上板
１４  支持枠
１５  留め部
１６  軸受孔
１７  円弧状周縁
１８  端部
１９  ばね
２０  ブレーキ突出部
２１  フランジ
２２  受容切欠き
２３  ばね孔
３１  本体
３２  押圧デバイス
３３  押圧突部
３４  ばね
３６  保持板
３７  肩部
【図１】
2008021413.tif 000003
【図２】
2008021413.tif 000004
【図３】
2008021413.tif 000005
【図４】
2008021413.tif 000006
【図５】
2008021413.tif 000007
【図６】
2008021413.tif 000008
【図７】
2008021413.tif 000009
【図８】
2008021413.tif 000010
【図９】
2008021413.tif 000011